(57)【要約】【課題】子扉を設けることなく引戸扉の開口幅を変更することができるとともに、戸袋部分の清掃を簡便に行うことのできる引戸を提供すること。【解決手段】出入り口に配置される引戸扉４と、引戸枠部材２と、該引戸枠部材２の一側に形成され、引戸扉４を収納する戸袋３と、該戸袋３の下部開口部を常時閉塞する巾木５とからなる引戸装置１において、戸袋３内に引戸扉４の戸袋３内への進入を規制する規制部材９を配設する。【選択図】図１
2005180013.tif 000002
【特許請求の範囲】
【請求項１】
出入り口に配置される引戸扉と、引戸枠部材と、該引戸枠部材の一側に形成され、引戸扉を収納する戸袋と、該戸袋の下部開口部を常時閉塞する巾木とからなる引戸装置において、戸袋内に引戸扉の戸袋内への進入を規制する幅規制部材を配設したことを特徴とする引戸装置。
【請求項２】
巾木には戸袋内面に突出する幅規制部材が形成されていることを特徴とする請求項１記載の引戸装置。
【請求項３】
巾木は戸袋の枠部材に丁番によって開閉自在に取り付けられたことを特徴とする請求項１又は２記載の引戸装置。
【発明の詳細な説明】
【技術分野】
【０００１】
本発明は、引戸装置に関し、特に引戸を開放時に収納する戸袋を有する引戸装置に関するものである。
【背景技術】
【０００２】
従来の引戸を収納する戸袋では、巾木はビスやマグネットなどの固定手段により戸袋下方に固定され、戸袋の引戸収納部に蓄積したゴミを清掃するときに巾木を取り外すようにしている。
また、通常開閉する引戸の幅よりも大きい家具やベッドを搬入する際には戸袋の対面側、つまり引戸の閉じ側に子扉を設け、該子扉の開放によって通常の引戸開き側に位置させた開放状態よりも広い幅の開口幅を確保するようにしている。
【０００３】
ところで、この従来の引戸装置５０は、図３に示すように、引戸枠部材５１と、該枠部材５１の一側に形成された戸袋５２内に収納される引戸扉５３とより構成される。引戸扉５３は、対をなす前後の吊り車５６ａ、５６ｂを走行用レール５７に載置している。
通常は走行用レール５７は閉じ側に向けて下り傾斜せしめて引戸枠部材５１に取り付けられ、引戸５３がその自重によって、又は適宜手段によって常時は引戸５３を閉じ方向に付勢するように構成している。
閉じた引戸扉５３に連なるように子扉５４が縦枠に開閉自在に取り付けられており、引戸扉５３の開口幅をＬ１に規制している（図３（ｂ）参照）。
戸袋５２の下部には長手方向に開口部が形成され、常時はマグネットなどの固定手段５５ａを備えた巾木５５によって閉塞されており、戸袋５２内の清掃時に巾木５５が外せるようになっている。
【０００４】
上記構成において、通常の開口幅Ｌ１では通過が困難な大きい家具やベッドを搬入する際には子扉５２を開放し開口幅をＬ２とするものである。
また、戸袋５２内の清掃を行う際には巾木５５の固定手段５５ａを解放し、戸袋５２の下方から巾木５５を取り除いて開かれた開口部より清掃用具を差し込んで清掃を行うものである。
【０００５】
しかし、この引戸は、引戸扉５３とは別個に子扉を設ける必要があり、外観上の見栄えも劣るとともに、製作コストを引き上げるものとなっている。
また、ビスやボルト等の固定手段によって取り付けられる巾木の場合、清掃中の度にその取り付け取り外しを行う必要があり、作業が繁雑なものとなる等の問題があった。
【発明の開示】
【発明が解決しようとする課題】
【０００６】
本発明は、上記従来の引戸の有する問題点に鑑み、子扉を設けることなく引戸扉の開口幅を変更することができるとともに、戸袋部分の清掃を簡便に行うことのできる引戸を提供することを目的とする。
【課題を解決するための手段】
【０００７】
上記目的を達成するため、本発明の引戸装置は、出入り口に配置される引戸扉と、引戸枠部材と、該引戸枠部材の一側に形成され、引戸扉を収納する戸袋と、該戸袋の下部開口部を常時閉塞する巾木とからなる引戸装置において、戸袋内に引戸扉の戸袋内への進入を規制する幅規制部材を配設したことを特徴とする。
【０００８】
また、この場合において、巾木には戸袋内面に突出する幅規制部材が形成することができる。
【０００９】
更に、この場合において、巾木を戸袋の枠部材に丁番によって開閉自在に取り付けるようにすることができる。
【発明の効果】
【００１０】
本発明の引戸装置によれば、幅規制部材によって引戸扉の戸袋内への進入は規制され一定幅の開口までしか引戸扉を開くことはできないものの、戸袋内から引戸扉の進入を規制する幅規制部材を取り除くことによって、通常の開口幅より幅規制部材の幅だけ引戸の開口幅を大きくすることができる。
【００１１】
この際、巾木に戸袋内面に突出する幅規制部材を形成するときは戸袋から巾木を取り外すことによって引戸扉の進入を規制する幅規制部材を取り除くことができる。
【００１２】
また、巾木を戸袋の枠部材に丁番によって開閉自在に取り付けるときは、巾木の取り外しが簡便に行え、開口幅を広く取るときの他、戸袋内を清掃するときにも簡単な作業で行うことができる引戸装置を提供することができる。
【発明を実施するための最良の形態】
【００１３】
以下、本発明の引戸装置の実施の形態を、図面に基づいて説明する。
【実施例１】
【００１４】
図１〜図２に、本発明の引戸装置の第１実施例を示す。
この引戸装置１は、従来例と同様、引戸枠部材２と、該枠部材２の一側に形成された戸袋３内に収納される引戸扉４と、戸袋３と、該戸袋３の下部に形成された長手方向の開口部ｓを閉塞する巾木５より構成される。
引戸扉４の開閉の仕組みは特に限定されるものはなく、引戸扉４の上面に備えた対をなす前後の吊り車６ａ、６ｂを走行用レール７に載置し、通常は走行用レール７を閉じ側に向けて傾斜せしめ、引戸扉４の自重によって、又は適宜手段によって常時は引戸扉４を閉じ方向に付勢するように構成する場合や走行用レールを平行に設け、開閉を人手のみにゆだねるものの他、引戸枠部材２下方の床面に敷設したレール上に引戸扉４を載置して引戸扉４を開閉する構成であってもかまわない。
また、引戸扉４を閉じ方向に付勢するように構成する場合には、引戸扉４に周知のフリーストッパ機構を設けることが好ましい。
【００１５】
本発明の引戸装置１に使用する巾木５は、その取り付け方法を特に限定するものではないが、図２に示すとおり、戸袋３の下部に形成された長手方向の開口部ｓを閉塞するもので、戸袋枠１０の引戸扉入り口側の縦枠１０ａ又は奥側の縦枠１０ｂに丁番８を介して開放自在に取り付けることが好ましい。
【００１６】
巾木５には戸袋３の内側に位置して奥側の縦枠１０ｂ側に幅規制部材９を備え、巾木５を閉じた状態においては引戸扉４の開放量を規制し、図１（ａ）、図２（ａ）に示す位置で引戸扉４のそれ以上の戸袋３内への進入を阻止するものである。
【００１７】
上記構成において、引戸扉４の戸袋３内への収納長さは通常は巾木５に設けられた幅規制部材９よって制止されることから、引戸扉４は図１（ａ）、図２（ａ）に示す位置までしか開放されず、室内の冷気や暖気が引戸扉４の必要以上に開放されることによって外部に漏れることがなくなり冷暖房費を節約することができる。
【００１８】
また、通常開閉する引戸の幅よりも大きい家具やベッドを搬入する際には巾木５を丁番８の軸心を中心に回動せしめる。
【００１９】
これにより巾木５に配備した幅規制部材９による引戸扉４の移行の規制が解除され、引戸扉４は図１（ｂ）、図２（ｂ）に示す位置まで移行し、広くなった開口部を通って幅広の家具やベッドの搬入が可能となる。
【実施例２】
【００２０】
図３に、本発明の引戸装置の第２実施例を示す。
【００２１】
この引戸装置１に用いる規制部材２０は、回動式のストップバー２１を利用した例を示し、巾木２９は従来例と同様に磁石等の固定手段で固定するものの他、第１実施例の如く丁番を介して回動自在に取り付けても良い。
【００２２】
ストップバー２１はＬ字状のバー構造とし、戸袋３内の壁面適所に設けたストップバー２１の外径より若干大なる内径をもつ中空円筒状の支持部材２２に一端を挿入し回動自在に取り付けるとともに、他端を常時（引戸の進入を規制する状態）は、支持部材２２の対面に設けたＵ字状の受け部材２３に上側から嵌め込み引戸扉４の進入を阻止する。
【００２３】
そして、通常開閉する引戸の幅よりも大きい家具やベッドを搬入する際には巾木２９を開放し、開口部ｓから戸袋３内に手を差し入れ、ストップバー２１を受け部材２３から外し、支持部材２２と同一面で略々同一高さに配備した待機用受け部材２４に嵌め込み、引戸扉４の戸袋３内への進入を許容する。
【００２４】
この際、ストップバー２１の支持部材２２進入側先端にキャップ２１ａを取り付けるとともに、支持部材２２とキャップ２１ａ間にスプリング２５を配備することによりストップバー２１は常時下側へ付勢力が働き、引戸扉４の衝突によって受け部材２３から脱落することを有効に防止する。
【実施例３】
【００２５】
次に図４に、本発明の引戸装置の第３実施例を示す。
【００２６】
この引戸装置１に用いる規制部材３０は、戸袋３内の奥の側壁又は引戸扉４の戸袋側に回動自在に取り付けたエアーダンパ３１を利用した例を示し、第２実施例と同様巾木３９は従来例と同様に磁石等の固定手段で固定するものの他、第１実施例の如く丁番を介して回動自在に取り付けても良い。
【００２７】
エアーダンパ３１は一端を戸袋３の奥の側壁又は引戸扉４の戸袋側に設けた回動部材３２に回動自在に軸支せしめ、常時（引戸の進入を規制する状態）は、図例実線の位置で引戸扉４の進入を阻止する。
【００２８】
そして、通常開閉する開口部よりも大きい家具やベッドを搬入する際には巾木３９を開放し、開口部ｓから戸袋３内に手を差し入れ、エアーダンパ３１を縦方向に回動させる（図例一点破線）ことにより引戸扉４の進入を許容する。
【００２９】
この際、エアーダンパ３１によると、引戸扉４開放時の衝撃を緩和することができる。  なお、エアーダンパ３１は内部エアーを開放式に利用するエアーダンパの場合は先端を磁性体で構成し、先端が当接する引戸扉４の戸袋側や戸袋３内の奥の側壁に磁石を配備することにより、引戸扉４の閉鎖時にエアーダンパのロッドを引き出すように構成する。
【００３０】
以上、本発明の引戸装置について、実施例１〜３に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００３１】
以上、本発明の引戸装置は、構成が簡単であるという特性を有していることから、新設建造物に用いることができる。
【図面の簡単な説明】
【００３２】
【図１】本発明の引戸装置の実施例を示す正面図である。
【図２】本発明の引戸装置の一部切り欠き断面図を示し、（ａ）は図１（ａ）のＸ−Ｘ断面を、（ｂ）は図１（ｂ）のＹ−Ｙ断面図である。
【図３】規制部材の別の実施例を示し、（ａ）は一部切り欠き平断面を、（ｂ）は図３（ａ）のＷ−Ｗ矢視図を示す。
【図４】規制部材の別の実施例を示し、（ａ）は規制部材を戸袋内の奥の側壁に配備した一部切り欠き断面を、（ｂ）は規制部材を引戸扉の戸袋側に配備した一部切り欠き断面を、（ｃ）は図４（ａ）のｖ１−ｖ１矢視図を、（ｄ）は図４（ｂ）のｖ２−ｖ２矢視図を示す。
【図５】（ａ）は従来の引戸装置の正面図を示し（ｂ）は（ａ）のＺ−Ｚ断面図を示す。
【符号の説明】
【００３３】
１    引戸装置
２    引戸枠部材
３    戸袋
４    引戸扉
５    巾木
８    丁番
９    幅規制部材
２０  幅規制部材
３０  幅規制部材
【図１】
2005180013.tif 000003
【図２】
2005180013.tif 000004
【図３】
2005180013.tif 000005
【図４】
2005180013.tif 000006
【図５】
2005180013.tif 000007